(57)【要約】【課題】  異なったガラスの遮熱性能の違いを確実に印象付けることができる遮熱性能体験装置を提供する。【解決手段】  人５が座ることが可能となされた座席２の上方に、この座席２に座った人５の頭上を被覆する笠体３が設けられるとともに、この笠体３のさらに上方には、笠体３を介して座席２に座った人５に照射するライト４が設けられてなり、笠体３は、複数に分割された区画に遮熱ペアガラス３１と単板ガラス３２とが設けられ、座席２に座った人５と、この人５に照射するライト４との間に遮熱ペアガラス３１と単板ガラス３２とが交互に介在するように回転するようになされた遮熱性能体験装置１である。【選択図】  図１
2005165094.tif 000002
【特許請求の範囲】
【請求項１】
人が座ることが可能となされた座席の上方に、この座席に座った人の頭上を被覆する笠体が設けられるとともに、この笠体のさらに上方には、笠体を介して座席に座った人に照射するライトが設けられてなり、笠体は、複数に分割された区画に複数の異なった窓素材が設けられ、座席に座った人と、この人に照射するライトとの間に、各区画に設けられた複数の異なった窓素材が交替で介在するように回転するようになされたことを特徴とする遮熱性能体験装置。
【請求項２】
複数に分割された各区画に遮熱ペアガラスと単板ガラスとが設けられてなる請求項１記載の遮熱性能体験装置。
【発明の詳細な説明】
【技術分野】
【０００１】
本発明は、異なった二種類のガラスの遮熱性能の違いを体験することができるようになされた装置に関するものである。
【背景技術】
【０００２】
一般に、住宅建物の窓などに採用されているガラスとしては、単に一枚のガラスを嵌め込んだものや、二枚のガラスを嵌め込んだいわゆるペアガラスを呼ばれるものが使用されている。この両ガラスの違いは、住宅建物のカタログに紹介したり、展示住宅に訪れた購入予定者に、口頭で説明したりしていた。
【０００３】
しかし、実際の窓などに使用されているガラスは、外観上は略同じであるため、その性能の違いは、カタログに紹介したり、口頭で説明したりしても、実感することができない。
【０００４】
そこで、従来より、このような性能の違いを体験できるようになされたものとして、立ち位置の両側にライトを介して単板ガラスとペアガラスとを設け、立ち位置に立った人の両側から、単板ガラスおよびペアガラスを介してライトを照射し、ガラスの相違による照射熱の違いを体験できるようになされたものが提案されている。
【０００５】
また、通路の両側にライトを介して単板ガラスとペアガラスとを設け、通路を通過する人の両側から、単板ガラスおよびペアガラスを介してライトを照射し、ガラスの相違による照射熱の違いを体験できるようになされたものが提案されている。
【特許文献１】特開平１１−２９６０７０号公報
【特許文献２】特開２０００−１３２０９０号公報
【発明の開示】
【発明が解決しようとする課題】
【０００６】
しかし、上記従来の体験装置は、体の半分で単板ガラスを介したライトの照射熱を受け、残りの半分でペアガラスを介したライトの照射熱を受けるといった具合に、体の異なった対称部位で異なった照射熱を受けるため、一方の対称部位の皮膚の一部が壊死しているような人の場合は、その違いをはっきりと認識することができない。また、体の対称部位に照射熱を受けて比較するため、三種類以上のガラスの場合には、その違いを判断することができない。
【０００７】
また、上記従来の体験装置の場合、ペアガラス側の照射熱は、単板ガラス側の照射熱よりも弱くなるのであるが、立ち位置や通路の通過位置がペアガラス側に偏ってしまうと、ペアガラス側の照射熱を強く感じてしまうこととなり、ガラスの相違による照射熱の違いを充分に体験できなくなってしまうこととなる。
【０００８】
さらに、人は衣類を着用しているので、衣類から露出した顔や頭が一番照射熱の違いを体験できる部位となるのであるが、立ち位置に立った際や通路を通過する際にペアガラス側に顔を向けてしまうと、ペアガラス側の照射熱を強く感じてしまうこととなり、ガラスの相違による照射熱の違いを充分に体験できなくなってしまうこととなる。
【０００９】
本発明は係る実情に鑑みてなされたものであって、異なったガラスの遮熱性能の違いを確実に印象付けることができる遮熱性能体験装置を提供することを目的としている。
【課題を解決するための手段】
【００１０】
上記課題を解決するための本発明の遮熱性能体験装置は、人が座ることが可能となされた座席の上方に、この座席に座った人の頭上を被覆する笠体が設けられるとともに、この笠体のさらに上方には、笠体を介して座席に座った人に照射するライトが設けられてなり、笠体は、複数に分割された区画に複数の異なった窓素材が設けられ、座席に座った人と、この人に照射するライトとの間に、各区画に設けられた複数の異なった窓素材が交替で介在するように回転するようになされたものである。
【００１１】
また、複数に分割された各区画に遮熱ペアガラスと単板ガラスとが設けられてなるものである。
【発明の効果】
【００１２】
以上述べたように、本発明によれば、笠体が回転することによって、座席に座った人と、この人に照射するライトとの間に複数の異なった窓素材が交替で介在することとなるので、これら窓素材それぞれの遮熱性能の違いを体感することができる。この際、ライトは、上方からの照射であり、座席に人が座ることによってライトから人までの距離が一定となり、上方からの照射熱が一定となるので、よそ見をしたり、隣人としゃべりながらであっても、ライトからの照射距離に変化は無く、遮熱性能の違いを確実に体感することができる。また、窓素材自体を交替で介在させることによってライトからの照射熱自体を変えるので、遮熱性能の違いを体の同じ部位で体感することができ、皮膚の一部が壊死した人などであっても遮熱性能の違いを確実に体感することができる。特にライトからの照射熱は、衣服から露出した顔および頭に近い上方からの照射によるため、無駄無く効果的に遮熱性能の違いを体感できる。
【発明を実施するための最良の形態】
【００１３】
以下、本発明の実施の形態を図面を参照して説明する。
【００１４】
図１および図２は遮熱性能体験装置１の全体構成の概略を示している。
【００１５】
すなわち、この遮熱性能体験装置１は、座席２の上方に笠体３が設けられ、笠体３のさらに上方にライト４が設けられ、笠体３に設けられた遮熱ペアガラス３１または単板ガラス３２を介して座席２に座った人５にライト４を照射するようになされている。
【００１６】
座席２は、略正方形状に形成された座脚２１の上に円盤状の座面２２が設けられて形成されており、座面２２の中心には、人５の座高の高さに略匹敵する長さの中心軸２３が延設されている。座席２は、この中心軸２３周りの座面２２に複数の人が座ることができるようになされている。
【００１７】
座席２の中心軸２３は、その先端部２３ａが屈曲されている。この屈曲された先端部２３ａに差し込むようにして笠体３が設けられる。
【００１８】
笠体３は、略六角形状に形成された笠本体３３の中心に軸部３４が設けられて形成されている。笠本体３３は、六個の三角形状の区画３３ａに分割され、隣接する三つの区画３３ａに遮熱ペアガラス３１が設けられ、残りの隣接する三つの区画３３ａに単板ガラス３２が設けられている。
【００１９】
このうち、単板ガラス３２は、厚さ６ｍｍのものが使用されている。一方、ペアガラス３１は、上記と同じ厚さ６ｍｍとなされた二枚の単板ガラス３２を、８ｍｍの断熱空気層３０を介して設けることによって構成されている。
【００２０】
この笠体３は、軸部３４の下端を、座席２の中心軸２３の先端部２３ａに差し込むことによって、回転可能な状態で座席２の上方に設けられる。この笠体３の上端部には、自在継手６を介して回転軸６１が設けられている。この回転軸６１は、天井裏に設けられたモータ６２によって駆動するようになされており、このモータ６２の駆動による回転軸６１の回転によって笠体６は、座席２の上方で自動的に回転するようになされている。この際、笠体３の回転数は、座席２に座った人５の頭上で笠体３の遮熱ペアガラス３１または単板ガラス３２の何れが位置しているのか認識できる程度の速度でなければならない。
【００２１】
ライト４は、笠体３よりもさらに上方の天井面に設けられ、笠体３を介して座席２に座った人５を照射することができるようになされている。このライト４としては、座席２に座った人５が、遮熱ペアガラス３１または単板ガラス３２を介して夏場の強い日差しを浴びている状況を再現できるように、高い輻射熱を発生するものが使用される。
【００２２】
このようにして構成される遮熱性能体験装置１は、笠体３が回転し、ライト４が照射された状態で、座席２に人５が座ればよい。この座席２に座った人５には、笠体３を介してライト４の光が照射され、その照射熱を感じることとなる。そして、笠体３が回転しているので、ライト４からの照射熱は、遮熱ペアガラス３１を介して照射される照射熱と、単板ガラス３２を介して照射される照射熱との二種類となり、単板ガラス３２を介して照射されるライト４からの照射熱の方が、遮熱効果の高い遮熱ペアガラス３１を介して照射されるライト４からの照射熱よりも熱く感じることとなる。その結果、人５は、単に座席２に座るだけで、遮熱ペアガラス３１と単板ガラス３２との遮熱性能の違いを身をもって体験することができる。また、座席２に複数の人５が座ることによって、一度に複数の人５が遮熱性能の違いを体験することができる。
【００２３】
この遮熱性能体験装置１の場合、人５は、座席２に座ることでライト４からの距離が一定に決まり、ライト４と人５との間に介在する笠体３のガラスが、遮熱ペアガラス３１と単板ガラス３２とで交互に入れ代わるので、純粋に遮熱ペアガラス３１と単板ガラス３２との遮熱性能の違いだけを体験することができる。
【００２４】
また、座席２に座った人５は、衣服から露出している顔および頭に最も近い上方の位置からライト４が照射されるので、遮熱性能の違いを容易に判断することができる。
【００２５】
また、遮熱ペアガラス３１を介したライト４の照射熱と単板ガラス３２を介したライト４の照射熱とは、それぞれ人５の異なった部位に照射されるのではなく、人５の上方から交互に照射されるので、遮熱性能の違いの判断基準が同じになり、遮熱性能の違いを容易に判断することができる。
【００２６】
なお、本実施の形態において、遮熱性能体験装置１の笠体３は、モータ６２の駆動によって回転するように構成されているが、座席２近くに設けたハンドル（図示省略）を操作することによって笠体３を回転させるように構成されたものであってもよいし、笠体２の軸部３４を直接回すことによって笠体３を回転させるようにしたものであってもよい。
【００２７】
また、本実施の形態において、遮熱性能体験装置１の笠体３は、床面に対して軸部３４が傾いた状態で設けられているが、この軸部３４が床面に対して垂直となって笠体３が真っ直ぐに設けられたものであってもよい。
【００２８】
さらに、本実施の形態において、遮熱性能体験装置１の笠体３の笠本体３３は、六個の三角形状の区画３３ａに分割されているが、特に六個に限定されるものではなく、二個以上であれば良い。また、区画３３ａの形状としても、三角形状に限定されるものではない。さらに、本実施の形態において、各区画３３ａには、遮熱ペアガラス３１と単板ガラス３２との二種類を設けているが、三種類以上の異なった素材を設けた場合であっても、これら三種類以上のそれぞれの遮熱性能の違いを判断することができる。
【００２９】
この遮熱性能体験装置１は、例えば、住宅展示棟などの内部において設けることができる。この際、この遮熱性能体験装置１が置いてある部屋に人５が入って来たことをセンサ（図示省略）などで察知してライト４の照射やモータ６２の駆動を開始するようにし、また、人５が部屋から立ち去ると自動的にライト４の照射やモータ６２の駆動を停止するようにしたものであってもよい。また、これらライト４の照射やモータ６２の駆動に合わせて、遮熱性能体験装置１の解説アナウンスやＢＧＭを流すようにしたものであってもよい。
【産業上の利用可能性】
【００３０】
住宅建物の構造説明および販売促進を図る装置として利用できる。
【図面の簡単な説明】
【００３１】
【図１】本発明に係る遮熱性能体験装置の全体構成の概略を示す斜視図である。
【図２】図１に示す遮熱性能体験装置の断面図である。
【符号の説明】
【００３２】
１  遮熱性能体験装置
２  座席
３  笠体
３１  遮熱ペアガラス
３２  単板ガラス
３３ａ  区画
４  ライト
５  人
【図１】
2005165094.tif 000003
【図２】
2005165094.tif 000004